(57)【要約】【課題】グリップを周方向に一定の取付位置において固定された状態となるよう容易に着脱可能であり、ユーザーの好みに応じて、種々の形状や質感を有するグリップを容易かつ簡便に交換することができるグリップ構造及びゴルフクラブを提供する。【解決手段】グリップ構造体Ｇ１は、シャフト２０とグリップ３０とアタッチメント４０とを備えている。シャフト２０は、リブ２２が設けられた部分をグリップ３０内に形成された溝３４内に沿って差し込むことにより、グリップ３０に対して相対回転できない状態になる。また、シャフト２０をグリップ３０に差し込んだ状態において、アタッチメント４０を回動させると、第二突条部４４がグリップ３０の鉤状部３８と係合するとともに、傾斜面４６によってストッパー２６が押圧された状態になり、シャフト２０及びグリップ３０がアタッチメント４０を介して強固に接続された状態になる。【選択図】図２
2011115519.tif 000002
【特許請求の範囲】
【請求項１】
中空のシャフトと、
前記シャフトの軸心回りに相対回転不能で軸心方向移動可能に取り付けられる第一略筒状部分を有するグリップと、
前記シャフトの軸心回りに相対回転可能で軸心方向移動可能に取り付けられ、前記グリップを前記シャフトに固定する第二略筒状部分を有するアッタチメントと、
を具備するグリップ構造体であって、
前記シャフトは、前記グリップが取り付けられる外周面において軸心方向に延びるリブを有し、
前記グリップは、その内周面において前記リブに対応する位置に設けられた溝部と、前記溝部に略隣接する位置に設けられ、前記アッタチメント側端部に設けられた鉤状部を有する第一突条部と、を有し、
前記シャフトは、その外周面において前記アッタチメントに対応する位置に固定して設けられた断面環状のストッパーを有し、
前記ストッパーは、周方向に複数に分割され周方向一方側に向かって厚さが増大している複数の分割ストッパーで構成され、
前記アタッチメントの内周面には、前記分割ストッパーの外面に接触するように周方向一方側へ向かって前記軸心からの距離が増大している傾斜面と、前記グリップ側端部に設けられた係合部を有する第二突条部が複数形成されており、
前記アッタチメントを周方向一方側へ回転させると、前記傾斜面が前記分割ストッパーの外面を径方向内側へ押し、前記鉤状部が前記係合部に係合し、前記グリップが前記アタッチメントとともに前記シャフトに固定されること、
を特徴とするグリップ構造体。
【請求項２】
前記リブが、前記アタッチメント側端部に設けられ、前記グリップの軸心方向における前記アタッチメント側への移動を止める凸部を有すること、
を特徴とする請求項１に記載のグリップ構造体。
【請求項３】
前記複数の分割ストッパーが一体的に形成されていること、
を特徴とする請求項１又は２に記載のグリップ構造体。
【請求項４】
前記シャフトが、シャフト側当接部を有し、
前記アタッチメントが、前記シャフト側当接部に対して軸線方向に隣接する位置において当接するアタッチメント側当接部を有し、
前記第一略筒状部分と、前記シャフトの前記アタッチメント側端部との間に、前記シャフトを前記第一略筒状部分から離反する方向に付勢する付勢手段が設けられていること、
を特徴とする請求項１〜３のうちのいずれかに記載のグリップ構造体。
【請求項５】
前記第一突条部及び前記第二突条部のいずれか一方又は双方が、磁気的性質を有するものであり、
前記アッタチメントを周方向一方側へ回転させると、前記第一突条部と前記第二突条部とが引き寄せ合うように磁力が作用することを特徴とする請求項１〜４のいずれかに記載のグリップ構造体。
【請求項６】
中空のシャフトと、
前記シャフトの軸心回りに相対回転不能で軸心方向移動可能に取り付けられる第一略筒状部分を有するグリップと、
前記シャフトの軸心回りに相対回転可能で軸心方向移動可能に取り付けられ、前記グリップを前記シャフトに固定する第二略筒状部分を有するアッタチメントと、
を具備するグリップ構造体であって、
前記シャフトは、前記グリップが取り付けられる外周面において軸心方向に延びるリブを有し、
前記グリップは、その内周面において前記リブに対応する位置に設けられた溝部と、前記溝部に略隣接する位置に設けられ、前記アッタチメント側端部に設けられた第一突条部と、を有し、
前記シャフトは、その外周面において前記アッタチメントに対応する位置に固定して設けられた断面環状のストッパーを有し、
前記ストッパーは、周方向に複数に分割され周方向一方側に向かって厚さが増大している複数の分割ストッパーで構成され、
前記アタッチメントの内周面には、前記分割ストッパーの外面に接触するように周方向一方側へ向かって前記軸心からの距離が増大している傾斜面と、前記グリップ側端部に設けられた第二突条部と、を有し、
前記第一突条部及び前記第二突条部のいずれか一方又は双方が、磁気的性質を有するものであり、
前記アッタチメントを周方向一方側へ回転させると、前記傾斜面が前記分割ストッパーの外面を径方向内側へ押し、前記第一突条部と前記第二突条部とが引き寄せ合うように磁力が作用し、前記グリップが前記アタッチメントとともに前記シャフトに固定されること、
を特徴とするグリップ構造体。
【請求項７】
前記アッタチメントを周方向一方側へ回転させることにより、前記第一突条部及び前記第二突条部の一部又は全部が重なり合った状態になることを特徴とする請求項５又は６に記載のグリップ構造体。
【請求項８】
請求項１〜７のうちのいずれかに記載のグリップ構造体を具備すること、
を特徴とするゴルフクラブ。
【発明の詳細な説明】
【技術分野】
【０００１】
本発明は、取外し交換可能なグリップ構造に関する。より詳しくは、本発明は、ゴルフクラブ、各種ラケット若しくは鍬、鎌又は鋤等に適用可能な、取外し交換可能なグリップ構造に関する。
【背景技術】
【０００２】
例えばウッドやアイアン、パターを含むゴルフクラブ、バドミントン用ラケットやテニス用ラケット等の各種ラケット若しくは鍬、鎌又は鋤等に用いられるグリップは、ユーザーの希望によって交換されることが多いものである。なかでも、ゴルフクラブのグリップは、ユーザーの調子や習熟度、ラウンドするコースや季節等に応じてスコアに繊細に影響を与え得るものであり、特にグリップの交換が希望される場合が多いと考えられる。
【０００３】
従来のゴルフクラブやラケットのグリップ構造では、ラバー製のグリップが堅固にシャフトに固定して装着されており、特定のグリップを一旦シャフトに装着してしまうと取り外すことは至難の業で、ユーザーの希望によっても別のグリップに交換することはほぼ不可能か、可能でもかなりの労力を要するものであった。
【０００４】
例えば、特許文献１においては、装飾を施すのに美観性と設計自由度ともに良好で、材料の選択範囲も広いキャップ体を有するゴルフクラブグリップを提供することを意図して、管状体であり、その一端が開口し、他端が完全に閉塞され、且つ、該開口からゴルフクラブシャフトの掌握端に挿入されて該掌握端に取り付けられうるように形成されていることを特徴とする、ゴルフクラブグリップが提案されている（特許文献１、要約及び請求項１を参照）。
【０００５】
ところが、この特許文献１において提案されているゴルフクラブグリップでは、グリップをビスで直接シャフトに接続・固定する構成を採用しているため、グリップの固定が不十分であったり、場合によってはビスによってシャフトを損傷してしまったりするという問題がある。
【０００６】
これに対し、例えば特許文献２においては、ユーザーの嗜好によってグリップ部の意匠デザインを容易に変えることができるグリップ構造を提供することを可能にすることを意図して、グリップ部のシャフトの外周面上に内側粘着層を介して加飾シート材が貼着され、該加飾シート材の外周面上に水溶性粘着層からなる外側粘着層を介して透明または半透明で且つ伸縮自在のグリップ部材が着脱可能に貼着された構成を有するグリップ構造が提案されている（特許文献２、要約及び請求項１を参照）。
【先行技術文献】
【特許文献】
【０００７】
【特許文献１】特開２００６−１９８４０２号公報
【特許文献２】特開２００７−３２５６９９号公報
【発明の概要】
【発明が解決しようとする課題】
【０００８】
上記特許文献２において提案されているグリップ構造では、水溶性粘着層とグリップ部材との間に水を流通させて該水溶性粘着層に水を接触させることにより粘着力を除去して伸縮自在のグリップ部材を容易に脱離することができ、加飾シート材を剥がしてグリップ部材も交換することができる。
【０００９】
しかしながら、このグリップ構造は、基本的に、グリップ部の意匠デザインを容易に変えることを意図したものであり、グリップそのものの交換も可能ではあるが、グリップ部のシャフトの外周面上に内側粘着層を介して加飾シート材を貼着しなければならないことに加えて、加飾シート材の外周面上に水溶性粘着層からなる外側粘着層を介してグリップ部材を貼着しなければならず、構造が複雑であり、また、水溶性粘着層や加飾シート材の除去や再貼着に手間がかかるという問題がある。
【００１０】
また、特にウッドやアイアン、パターを含むゴルフクラブ、バドミントン用ラケットやテニス用ラケット等の打撃具においては、ボール等を打撃するために設けられた打撃面の向きが一定していないと、安定した打撃性能を得ることができず、ひいてはユーザーの調子やスコアに繊細に影響を与えることになってしまうという問題がある。そのため、グリップを交換可能なものとする場合は、常にグリップがその周方向において一定の取付位置で固定された状態になるよう着脱可能なものとする必要がある。
【００１１】
そこで、本発明の目的は、グリップを周方向に一定の取付位置において固定された状態となるよう容易に着脱可能であり、ユーザーの好みに応じて、種々の形状や質感を有するグリップを容易かつ簡便に交換することができるグリップ構造及びゴルフクラブを提供することにある。
【課題を解決するための手段】
【００１２】
上記した課題を解決すべく、本発明は、
中空のシャフトと、
前記シャフトの軸心回りに相対回転不能で軸心方向移動可能に取り付けられる第一略筒状部分を有するグリップと、
前記シャフトの軸心回りに相対回転可能で軸心方向移動可能に取り付けられ、前記グリップを前記シャフトに固定する第二略筒状部分を有するアッタチメントと、
を具備するグリップ構造体であって、
前記シャフトは、前記グリップが取り付けられる外周面において軸心方向に延びるリブを有し、
前記グリップは、その内周面において前記リブに対応する位置に設けられた溝部と、前記溝部に略隣接する位置に設けられ、前記アッタチメント側端部に設けられた鉤状部を有する第一突条部と、を有し、
前記シャフトは、その外周面において前記アッタチメントに対応する位置に固定して設けられた断面環状のストッパーを有し、
前記ストッパーは、周方向に複数に分割され周方向一方側に向かって厚さが増大している複数の分割ストッパーで構成され、
前記アタッチメントの内周面には、前記分割ストッパーの外面に接触するように周方向一方側へ向かって前記軸心からの距離が増大している傾斜面と、前記グリップ側端部に設けられた係合部を有する第二突条部が複数形成されており、
前記アッタチメントを周方向一方側へ回転させると、前記傾斜面が前記分割ストッパーの外面を径方向内側へ押し、前記鉤状部が前記係合部に係合し、前記グリップが前記アタッチメントとともに前記シャフトに固定されること、
を特徴とするグリップ構造体を提供する。
【００１３】
本発明のグリップ構造体では、シャフトをグリップに差し込んだ後、アタッチメントを周方向一方側に向けて回転させると、アタッチメントの内周面に設けられた傾斜面が、シャフトに設けられた分割ストッパーの外面を径方向内側に押した状態になり、アタッチメントがシャフトに対してしっかりと固定された状態になる。また、アタッチメントを周方向一方側に向けて回転させると、アタッチメントに設けられた係合部と、グリップに設けられた鉤状部とが係合した状態になり、アタッチメントがグリップに対してしっかりと固定された状態になる。従って、本発明のグリップ構造体では、シャフトをグリップに差し込んだ後、アタッチメントを周方向一方側に回転させるだけで、アタッチメントを介してシャフトとグリップ部とがしっかりと固定された状態になる。
【００１４】
上述したように、本発明のグリップ構造体は、アタッチメントを回転させることによりグリップの着脱を行えるものであり、グリップの回転動作を行う必要がない。また、本発明のグリップ構造では、シャフトに設けられたリブを、グリップの内周面に設けられた溝部に差し込むことにより、グリップがシャフトに対して周方向に相対回転できない状態になる。そのため、本発明のグリップ構造体を採用すれば、周方向に一定の取付位置で固定された状態になるよう、グリップを容易かつ確実に着脱することができる。
【００１５】
上記本発明のグリップ構造体は、
前記リブが、前記アタッチメント側端部に設けられ、前記グリップの軸心方向における前記アタッチメント側への移動を止める凸部を有すること、
を特徴とするものであることが望ましい。
【００１６】
このような構成とすることにより、グリップを容易かつ確実に軸心方向に一定の位置において固定することが可能となる。
【００１７】
本発明のグリップ構造体は、
前記複数の分割ストッパーが一体的に形成されていること、
を特徴とするものであることが更に望ましい。
【００１８】
このような構成とすることにより、シンプルな構成であり、グリップの交換を容易かつスムーズに実施可能なグリップ構造体を提供することができる。
【００１９】
本発明のグリップ構造体は、
前記シャフトが、シャフト側当接部を有し、
前記アタッチメントが、前記シャフト側当接部に対して軸線方向に隣接する位置において当接するアタッチメント側当接部を有し、
前記第一略筒状部分と、前記シャフトの前記アタッチメント側端部との間に、前記シャフトを前記第一略筒状部分から離反する方向に付勢する付勢手段が設けられていること、
を特徴とするものとすることも可能である。
【００２０】
かかる構成とすれば、付勢手段から作用する付勢力の影響によりシャフトがアタッチメント側に押しつけられた状態になり、シャフトとアタッチメントとがしっかりと連結された状態とすることが可能である。また、上述したように、アタッチメントはグリップに対してしっかりと固定される。従って、上述した構成によれば、シャフトとグリップとを、アタッチメントを介して強固に固定することが可能となる。
【００２１】
本発明のグリップ構造体は、
前記第一突条部及び前記第二突条部のいずれか一方又は双方が、磁気的性質を有するものであり、
前記アッタチメントを周方向一方側へ回転させると、前記第一突条部と前記第二突条部とが引き寄せ合うように磁力が作用することをものとすることが好ましい。
【００２２】
同様に、本発明のグリップ構造体は、
前記シャフトの軸心回りに相対回転不能で軸心方向移動可能に取り付けられる第一略筒状部分を有するグリップと、
前記シャフトの軸心回りに相対回転可能で軸心方向移動可能に取り付けられ、前記グリップを前記シャフトに固定する第二略筒状部分を有するアッタチメントと、
を具備するグリップ構造体であって、
前記シャフトは、前記グリップが取り付けられる外周面において軸心方向に延びるリブを有し、
前記グリップは、その内周面において前記リブに対応する位置に設けられた溝部と、前記溝部に略隣接する位置に設けられ、前記アッタチメント側端部に設けられた第一突条部と、を有し、
前記シャフトは、その外周面において前記アッタチメントに対応する位置に固定して設けられた断面環状のストッパーを有し、
前記ストッパーは、周方向に複数に分割され周方向一方側に向かって厚さが増大している複数の分割ストッパーで構成され、
前記アタッチメントの内周面には、前記分割ストッパーの外面に接触するように周方向一方側へ向かって前記軸心からの距離が増大している傾斜面と、前記グリップ側端部に設けられた第二突条部と、を有し、
前記第一突条部及び前記第二突条部のいずれか一方又は双方が、磁気的性質を有するものであり、
前記アッタチメントを周方向一方側へ回転させると、前記傾斜面が前記分割ストッパーの外面を径方向内側へ押し、前記第一突条部と前記第二突条部とが引き寄せ合うように磁力が作用し、前記グリップが前記アタッチメントとともに前記シャフトに固定されること、
を特徴とするものであることが好ましい。
【００２３】
かかる構成とすれば、第一突条部及び第二突条部の間に作用する磁力により、アタッチメントがグリップに対してより一層しっかりと固定された状態になる。従って、本発明のグリップ構造体では、アタッチメントを介してシャフトとグリップ部とをしっかりと連結し固定することが可能となる。
【００２４】
また、上記した構成によれば、シャフトとグリップ部とを連結するためにアッタチメントを周方向一方側へ回転させる際に、第一突条部及び第二突条部の間に作用する磁力により回転力が付与される。従って、本発明のグリップ構造体は、アタッチメントの回転操作を軽快に実施することができる。
【００２５】
また、本発明のグリップ構造体は、
前記アッタチメントを周方向一方側へ回転させることにより、前記第一突条部及び前記第二突条部の一部又は全部が重なり合った状態になるものであることが望ましい。
【００２６】
かかる構成とした場合は、アッタチメントを周方向一方側へ回転させた際に第一突条部及び前記第二突条部との間で作用する磁力の影響を更に増大させることが可能であり、アタッチメントとグリップ部との固定強度をより一層強固なものとすることが可能である。従って、上述した構成によれば、グリップ部を更に強固に連結し、固定することが可能となる。なお、本発明において「第一突条部及び第二突条部が重なり合った状態」とは、両者が隙間無く重なり合う状態に限定されるものではなく、磁力の影響が及ぶ程度において両者の間に隙間が形成される状態も含まれるものである。
【００２７】
また、本発明は、
上記のグリップ構造体を具備することを特徴とするゴルフクラブを提供する。
【００２８】
本発明のゴルフクラブは、上述したグリップ構造体を備えたものであるため、グリップを周方向に一定の取付位置において固定された状態となるよう容易に着脱することができ、ユーザーの好みに応じて、容易かつ簡便に種々の形状や質感を有するグリップに交換可能とすることができる。
【発明の効果】
【００２９】
本発明によれば、グリップを周方向に一定の取付位置において固定された状態となるよう容易に着脱可能であり、ユーザーの好みに応じて、種々の形状や質感を有するグリップを容易かつ簡便に交換することができるグリップ構造及びゴルフクラブを提供することができる。
【図面の簡単な説明】
【００３０】
【図１】本発明の実施形態に係るゴルフクラブを示す斜視図である。
【図２】図１に示すゴルフクラブのグリップ部分を示す分解斜視図である。
【図３】シャフトをグリップに対して差し込んだ状態を示す斜視図である。
【図４】図３に示す状態からさらにアタッチメントを装着した状態を示す斜視図である。
【図５】図２のＡ−Ａ断面図である。
【図６】図２のＢ−Ｂ断面図である。
【図７】図２のＣ−Ｃ断面図である。
【図８】図２のＤ−Ｄ断面図である。
【図９】図４のＥ−Ｅ断面図である。
【図１０】図４のＦ−Ｆ断面図である。
【図１１】図４のＧ−Ｇ断面図である。
【図１２】図１１において矢印方向にアタッチメントを回動させた後の状態を示す断面図である。
【図１３】変形例にかかるグリップ構造体の一部を破断して示した断面図である。
【図１４】図２のＨ−Ｈ断面図である。
【図１５】図２のＩ−Ｉ断面図である。
【図１６】本発明の第二実施形態に係るグリップ構造体においてグリップとアタッチメントを接続固定する前の状態を示す断面図である。
【図１７】本発明の第二実施形態に係るグリップ構造体においてグリップとアタッチメントを接続固定した状態を示す断面図である。
【図１８】本発明の第二実施形態に係るグリップ構造体におけるグリップとアタッチメントとの関係を、グリップとアタッチメントを接続固定する際の手順に従って説明した説明図である。
【図１９】本発明の第二実施形態に係るグリップ構造体におけるグリップとアタッチメントとの関係を示す別の図である。
【発明を実施するための形態】
【００３１】
≪第１実施形態≫
本発明の第１実施形態に係るゴルフクラブ１０及びグリップ構造体Ｇ１について図面を参照しながら説明する。なお、重複する部分の説明については同一の符号を付し、省略している場合もあり、図面における各部材の形状や寸法は、実際に本発明の作用効果を奏するための実際の形状や寸法を必ずしも正確に表していない場合もある。
【００３２】
図１に示すように、ゴルフクラブ１０は、シャフト２０の先端側にクラブヘッド１２を有し、末端側にグリップ構造体Ｇ１を有する。シャフト２０は、従来公知のものと同様に中空の軸体によって構成されており、クラブヘッド１２は、従来公知のものと同様のものによって構成されており、球体（ゴルフボール）を打撃するための打撃面を備えている。なお、以下において、特に断りのない限りゴルフクラブ１０のシャフト２０の軸方向においてクラブヘッド１２側に向く部分を先端側と称し、その逆、即ちグリップ３０側を末端側と称する。
【００３３】
図２〜図４に示すように、グリップ構造体Ｇ１は、シャフト２０と、グリップ３０と、アタッチメント４０とに大別される。シャフト２０は、上記のとおり金属製であって中空の軸体によって構成されており、その末端側において外周面に複数のリブ２２を有する。リブ２２は、シャフト２０の末端部（以下、「アタッチメント側端部」２０ａとも称す）において、軸心方向に延びるように形成されている。リブ２２の先端側の部分には、凸部２４が設けられている。このようなリブ２２は、シャフト２０と一体成形されていてもよく、また、シャフト２０と同じ材料又は他の硬質の材料で形成した別部材として接着剤等で固着されていてもよい。
【００３４】
図２及び図６に示すように、凸部２４は、リブ２２の外表面よりもさらにシャフト２０の径方向外側に向けて張り出すように形成された部分である。この凸部２４は、リブ２２に対して軸方向（先端側）に隣接する位置に設けられている。図３に示すように、凸部２４は、シャフト２０をグリップ３０に差し込んだ際に、グリップ３０の開口縁に突き当たる。そのため、シャフト２０は、凸部２４が設けられた位置までグリップ３０内に差し込むことができる。即ち、凸部２４がグリップ３０の開口縁に突き当たるまで差し込んだ状態においてグリップ３０をシャフト２０に対して固定することにより、シャフト２０とグリップ３０との軸方向における位置関係を一定に維持することができ、例えばグリップ３０の交換の度にグリップ３０からクラブヘッド１２までの長さが変化するといった不具合の発生を防止することができる。
【００３５】
また、図２及び図３に示すように、シャフト２０のアタッチメント側端部２０ａには、凸部２４に対して軸方向（先端側）に隣接する位置にストッパー２６が設けられている。このストッパー２６は、図７に示すように、断面形状が環状であり、ゴルフクラブ１０においてアタッチメント４０が装着される位置に固定されている。ストッパー２６は、複数（本実施形態では４個）の分割ストッパー２８によって構成されている。これらは一体的に形成されていてストッパー２６は一部材とされていてもよい。
【００３６】
この分割ストッパー２８は、図７に示すように、それぞれシャフト２０の周方向に並べて形成されている。分割ストッパー２８の外面は、周方向一方側へ向かって軸心からの距離が大きくなるように形成されている。即ち、分割ストッパー２８の外面は、周方向一方側へ向かって半径が大きくなっている円弧面によって構成されている。したがって、分割ストッパー２８は、アタッチメント側端部２０ａ側から断面視すると時計回り方向に向かって漸次厚さが増大するように形成されている。
【００３７】
分割ストッパー２８は、縮径可能な部材であり、弾性変形可能な素材によって形成されており、例えば硬質ゴム製である。シャフト２０と同じ材料で形成されていてもよい。そして、このようなストッパー２６乃至は分割ストッパー２８は、シャフト２０と同じ材料又は他の硬質の材料で形成した別部材として接着剤等で固着されていればよく、また、シャフト２０と同じ材料で形成されている場合にはシャフト２０と一体的に成形されていてもよい。なお、分割ストッパー２８の外面はストッパー２６の外周面を構成する面であり、後に詳述するアタッチメント４０の内周面の４分の１と同じ形状の円弧面となっている。
【００３８】
図１〜図４に示すように、グリップ３０は、略円柱状で一端側が閉塞された外観形状を有する。図２及び図５に示すように、グリップ３０は、第一略筒状部分３２と、溝部３４と、第一突条部３６とを有する。第一略筒状部分３２は、上記シャフト２０の軸心回りに相対回転不能であり、軸心方向移動可能に取り付けられるものであり、使用者が把持する部分に相当する。また、溝部３４は、第一略筒状部分３２の内周面に複数設けられており、上記シャフト２０に設けられているリブ２２に対応する位置に設けられている。第一突条部３６は、溝部３４に対して第一略筒状部分３２の周方向に略隣接する位置に設けられている。即ち、周方向に隣接するリブ２２同士の間に第一突条部３６が設けられている。
【００３９】
図２〜図４に示すように、第一突条部３６は、第一略筒状部分３２の開口端よりもさらに軸方向外側に向けて突出している。第一突条部３６の突出部分には、鉤状部３８が設けられている。鈎状部３８は、グリップ３０を開口端側（先端側）から見た状態において第一突条部３６の周方向右側の端部から反時計回り方向に伸びるスリット３８ａを有する。グリップ３０乃至は第一略筒状部分３２は、従来公知のようにゴム製であればよく、第一突条部３６は、例えば硬質ゴムや金属、又はある程度の剛性を有する樹脂で構成すればよい。
【００４０】
アタッチメント４０は、シャフト２０とグリップ３０とを接続し、固定するための接続具としての機能を有するものであり、図２〜図４及び図８に示すように、中央の開口部分に上述したシャフト２０が挿通される。アタッチメント４０は、上記したシャフト２０の軸心回りに相対回転可能であり、軸心方向に向けて移動可能なように取り付けられている。アタッチメント４０は、第二筒状部分４２と、第二突条部４４とを有する。アタッチメント４０（第二筒状部分４２、第二突条部４４）も、例えば硬質ゴムや金属、又はある程度の剛性を有する樹脂で構成すればよい。
【００４１】
第二筒状部分４２は、アタッチメント４０の主要部をなす部分であり、グリップ３０と略同一の外径であって両端に開口を有する筒体によって形成されている。第二突条部４４は、アタッチメント４０の内周面に複数形成されており、上述したシャフト２０の分割ストッパー２８に対応する位置に設けられている。そして、第二突条部４４は、傾斜面（カム面）４６と係合部４８とを有する。
【００４２】
傾斜面４６は、上述したシャフト２０に設けられている４つの分割ストッパー２８に対応した形状（円弧形状）を有し、各分割ストッパー２８に対応する位置に設けられている（図１１及び図１２等参照）。即ち、各傾斜面４６は、各分割ストッパー２８の外面に面で接触可能なように設けられている。具体的には、傾斜面４６は、第二筒状部分４２の内周面に沿うように形成されている。
【００４３】
そして、傾斜面４６は、第二筒状部分４２を先端側の開口部分から見た状態において、時計回り方向に進むにつれて厚さが増大するように形成されている。即ち、傾斜面４６は、時計回り方向に進むに連れて軸心からの距離が減少（反時計回り方向に進むに連れて軸心からの距離が増大）するように形成されている。つまり、傾斜面４６は、周方向に進むにつれて半径が増減する円弧面によって構成されている。
【００４４】
係合部４８は、第二筒状部分４２において上述した傾斜面４６に対して末端側（グリップ側端部２０ａ側）に隣接する位置設けられている。係合部４８は、グリップ３０のうちの鉤状部３８を有する第一突条部３６同士の間に差し込まれ、アッタチメント４０の回転によって鉤状部３８と係合するものである。
【００４５】
ゴルフクラブ１０は、シャフト２０をグリップ３０に差し込んだ後、アタッチメント４０を先端側から見て反時計回り方向に回動させることにより、シャフト２０とグリップ３０とを接続し、これとは逆の動作を行うことによりグリップ３０をシャフト２０から取り外すことができる。さらに詳細に説明すると、グリップ３０をシャフト２０に取り付ける場合は、先ずシャフト２０側に設けられたリブ２２とグリップ３０側に設けられた溝部３４とを位置合わせし、凸部２４がグリップ３０の開口縁に突き当たるまでグリップ３０の開口部分からシャフト２０を差し込む。これにより、図３に示すように、シャフト２０のリブ２２が設けられた部分がグリップ３０内に収容され、リブ２２よりも先端側の部分がグリップ３０の外側に露出した状態になる。
【００４６】
また、グリップ３０にシャフト２０を挿入した状態においては、図９に示すようにリブ２２が溝部３４内に入っているため、グリップ３０をシャフト２０に対して周方向に回動させることができない。即ち、グリップ３０にシャフト２０を差し込んだ状態においては、グリップ３０が周方向に位置決めされた状態になっている。そして、凸部２４がグリップ３０の開口縁に当接するまでシャフト２０を挿入することにより、グリップ３０がシャフト２０に対して軸方向に位置決めされた状態になる。
【００４７】
図３に示すような状態において、第二突条部４４側の部分を先頭にしてアタッチメント４０をアタッチメント側端部２０ａ側（グリップ３０側）に移動させると、図４に示すようにシャフト２０に設けられたストッパー２６の外側にアタッチメント４０が被さった状態になる。この状態においては、図１１に示すように、アタッチメント４０の内周面に設けられた傾斜面４６が、シャフト２０に設けられたストッパー２６の外側に隣接する位置に到来し、各係合部４４がグリップ３０に設けられた各第一突条部３６に対して周方向に隣接する位置に到来した状態になる。また、アタッチメント４０に設けられた各傾斜面４６が、シャフト２０側の各分割ストッパー２８において最も肉薄の部分（基端部）に隣接する位置に存在した状態になっている。
【００４８】
上記したようにアタッチメント４０をシャフト２０のアタッチメント側端部２０ａ側に配された状態において、アタッチメント４０を先端側から見て反時計回り方向（図１１に示す矢印α方向）に回動させると、各第二突条部４４に設けられた係合部４８が、グリップ３０の各鉤状部３８を構成するスリット３８ａ内に差し込まれた状態になる。これにより、グリップ部３０とアタッチメント４０とが連結され、一体化された状態になる。そして、アタッチメント４０を前述したように回動させると、図１２に示すように、アタッチメント４０の内側に設けられた各傾斜面４６がシャフト２０側に設けられた各分割ストッパー２８に沿って周方向に移動する。これにより、図１２に矢印Ｐで示すように、各傾斜面４６によって各分割ストッパー２８の外面が径方向内側へ向けて押圧され、圧接された状態になり、シャフト２０とアタッチメント４０とがしっかりと固定された状態になり、アタッチメント４０を介してシャフト２０とグリップ３０とが軸方向に離反しないように固定さる。
【００４９】
また、前述したのとは逆の動作を行うことにより、グリップ３０をシャフト２０から取り外すことができる。具体的には、図１２に矢印βで示すように、アタッチメント４０を先端側から見て時計回り方向に回動させると、アタッチメント４０の各傾斜面４６側からシャフト２０の各分割ストッパー２８側に向けて作用していた押圧力が解除され、シャフト２０とアタッチメント４０との連結が解除された状態になる。そして、アタッチメント４０を前述したように回動させることにより、アタッチメント４０側の各係合部４８が、グリップ３０側の各鉤状部３８から抜け出した状態になり、グリップ３０とアタッチメント４０との連結が解除された状態になる。そのため、この状態においてグリップ３０をシャフト２０の軸方向にスライドさせることにより、シャフト２０からグリップ３０を取り外すことができる。
【００５０】
上述したグリップ構造体Ｇ１は、シャフト２０をグリップ３０に差し込んだ際に、シャフト２０に設けられた凸部２４が突き当たり、それ以上シャフト２０をグリップ３０に差し込むことができない状態になる。そのため、上述した構成によれば、グリップ３０を容易かつ確実に軸心方向に一定の位置において固定することが可能となる。なお、本実施形態では、凸部２４を設けた構成を例示したが、本発明はこれに限定されるものではなく、凸部２４を備えていない構成であってもよい。また、上述した凸部２４は、リブ２２の先端側に連続するように設けられたものであったが、本発明はこれに限定されるものではなく、リブ２２と凸部２４との間に一定の隙間が設けられていてもよい。また、上述した凸部２４の形状や大きさは一例に過ぎず、いかなるものであってもよい。
【００５１】
上述したグリップ構造体Ｇ１は、分割ストッパー２８が一体的に形成されているため、構成がシンプルであり、グリップ３０の交換を容易かつスムーズに実施することができる。なお、本実施形態では、分割ストッパー２８を一体的に形成することによりストッパー２６を構成した例を例示したが、本発明はこれに限定されるものではなく、一部又は全部の分割ストッパー２８が別々に構成されていてもよい。
【００５２】
上述したグリップ構造体Ｇ１は、図１３に示すように、シャフト２０の末端部（アタッチメント側端部２０ａ）と、グリップ３０をなす第一略筒状部分３２の末端側の閉塞面３２ａとの間にバネなどの付勢手段５０を設けた構成を有していてもよい。このような構成とする場合は、シャフト２０側にシャフト側当接部５２を設け、アタッチメント４０側にシャフト側当接部５２に対して軸線方向に隣接する位置において当接するアタッチメント側当接部５４を設けた構成とすることにより、付勢手段５０から作用する付勢力によってシャフト２０がアタッチメント４０側に押しつけられた状態になり、シャフト２０とアタッチメント４０とをより一層強固に連結することが可能となる。なお、シャフト側当接部５２やアタッチメント側当接部５４は、シャフト２０やアタッチメント４０に対して別途設けてもよいが、図１３に示すように凸部２４をシャフト側当接部５２として機能させ、第二突条部４４をアタッチメント側当接部５４として機能させてもよい。かかる構成とすることにより、グリップ構造体Ｇ１の構成をより一層簡略化することが可能となる。
【００５３】
≪第２実施形態≫
本発明の第２実施形態に係るゴルフクラブ６０について図面を参照しながら説明する。なお、ゴルフクラブ６０において、上記第１実施形態に係るゴルフクラブ１０と重複する部分の説明については同一の符号を付し、省略している場合もあり、図面における各部材の形状や寸法は、実際に本発明の作用効果を奏するための実際の形状や寸法を必ずしも正確に表していない場合もある。
【００５４】
ゴルフクラブ６０は、上記グリップ構造体Ｇ１に代わってグリップ構造体Ｇ２を備えたものとされている。グリップ構造体Ｇ２は、上記グリップ構造体Ｇ１と略同一の構造とされているが、グリップ３０の第一突条部３６、及びアタッチメント４０の第二突条部４４が磁気的性質を備えたものとされている点が相違している。具体的には、第一突条部３６はそれぞれＮ極の磁性を帯びたものとされており、第二突条部４４はそれぞれＳ極の磁性を帯びたものとされている。
【００５５】
図２や図１４に示すように、第一突条部３６は、グリップ３０の第一筒状部分３２の開口端側の部分に複数（本実施形態では４つ）、軸方向に突出するように設けられている。また、図１４や図１８に示すように、各第一突条部３６（以下、「第一突条部３６ａ〜３６ｄとも称す）は、第一筒状部分３２の周方向に所定の間隔毎に設けられている。一方、図２や図１５に示すように、第二突条部４４は、アタッチメント４０のグリップエンド側の端部において軸方向に突出するように設けられている。また、図１５や図１８に示すように、各第二突条部４４（以下、「第二突条部４４ａ〜４４ｄとも称す）は、第二筒状部分４２の周方向に所定の間隔毎に設けられている。
【００５６】
本実施形態のゴルフクラブ６０についても、上記第１実施形態のゴルフクラブ１０と同様の手順によりアタッチメント４０を介してシャフト２０とグリップ３０とを接続することができる。具体的には、シャフト２０とグリップ３０とを接続する場合は、先ずリブ２２と溝部３４とが位置合わせされた状態でグリップ３０にシャフト２０が差し込まれる。その後、第二突条部４４側の部分を先頭にしてアタッチメント４０をアタッチメント側端部２０ａ側（グリップ３０側）に移動させると、図１６や図１８（ａ）、（ｂ）に示すようにグリップ３０側に設けられＮ極に帯磁した各第一突条部３６ａ〜３６ｄと、アタッチメント４０側に設けられＳ極に帯磁した各第二突条部４４ａ〜４４ｄとが周方向に交互に並んだ状態になる。
【００５７】
図１６や図１８（ｂ）の状態において矢印で示す方向にアタッチメント４０を回転させると、各第一突条部３６ａ〜３６ｄと各第二突条部４４ａ〜４４ｄとの間に互いに引き寄せ合うように磁力が作用する。そのため、アタッチメント４０は、スムーズに回転する。また、各第一突条部３６ａ〜３６ｄに設けられた鉤状部３８のスリット３８ａに、各第二突条部４４ａ〜４４ｄに設けられた突起状の係合部４８が係合するまでアタッチメント４０を回転させると、図１７や図１８（ｃ）に示すように各第一突条部３６ａ〜３６ｄと各第二突条部４４ａ〜４４ｄとが重なりあった部分（図１８（ｃ）においてハッチングを付した部分）が形成される。この重複部分においては、各第一突条部３６ａ〜３６ｄと各第二突条部４４ａ〜４４ｄとが間に引き寄せ合うように磁力が作用し、グリップ３０に対してアタッチメント４０が固定された状態になる。
【００５８】
また、アタッチメント４０を回転させると、上記第１実施形態のものと同様に、アタッチメント４０の内側に設けられた各傾斜面４６がシャフト２０側に設けられた各分割ストッパー２８に沿って周方向に移動することにより、各傾斜面４６によって各分割ストッパー２８の外面が径方向内側へ向けて押圧され、圧接された状態になる（図１２参照）。そのため、グリップ構造体Ｇ２においては、各第一突条部３６ａ〜３６ｄ及び各第二突条部４４ａ〜４４ｄの間に作用する磁力による固定力に加えて、前述した圧接による固定力も作用することになり、グリップ３０に対してアタッチメント４０が極めて強固に固定された状態になる。
【００５９】
本実施形態のグリップ構造体Ｇ２は、第一突条部３６がＮ極に帯磁し、第二突条部４４がＳ極に帯磁したものであったが、本発明はこれに限定されるものではなく、第一突条部３６と第二突条部４４とで極が入れ替わっていてもよい。また、グリップ構造体Ｇ２は、第一突条部３６及び第二突条部４４の双方が帯磁したものであったが、本発明はこれに限定されるものではなく、いずれか一方のみを帯磁させたものとし、他方を鉄製のものとするなどして磁石に吸着するものとしてもよい。かかる構成とすることによっても、第一突条部３６と第二突条部４４との間に磁力により引き寄せ合う力が作用し、グリップ３０とアタッチメント４０とを強固に固定することが可能となる。
【００６０】
また、本実施形態のグリップ構造体Ｇ２では、第一突条部３６ａ〜３６ｄの全てがＮ極に帯磁し、第二突条部４４ａ〜４４ｄの全てがＳ極に帯磁したものであったが、これらのうち一部が帯磁していないものであってもよい。また、第一突条部３６ａ〜３６ｄのうち一部がＮ極に帯磁し、残りがＳ極に帯磁した構成としたり、第二突条部４４ａ〜４４ｄのうち一部がＮ極に帯磁し、残りがＳ極に帯磁した構成したりすることも可能である。このように、第一突条部３６及び第二突条部４４において相違する極が混在した構成とする場合は、グリップ３０とアタッチメント４０とを接続する際に互いに連結し合うもの同士で引き寄せ合う力が作用するよう、磁極の配置を構成することが好ましい。
【００６１】
具体的には、例えば図１９に示すように、第一突条部３６ａ〜３６ｄが、それぞれ第二突条部４４ａ〜４４ｄとの組み合わせにより連結し合うものとした場合において、第一突条部３６ａ、３６ｃをＮ極に帯磁させ、第一突条部３６ｂ、３６ｄをＳ極に帯磁させた場合、第一突条部３６ａ、３６ｃと連結される第二突条部４４ａ、４４ｃをＳ極に帯磁させ、第一突条部３６ｂ、３６ｄと連結される第二突条部４４ｂ、４４ｄをＮ極に帯磁させた構成とすることが好ましい。
【００６２】
また、本実施形態のグリップ構造体Ｇ２では、アッタチメント４０を回転させることにより、第一突条部３６ａ〜３６ｄと第二突条部４４ａ〜４４ｄとが一部重なり合った状態になり、両者の間に磁力による吸引力が作用し、グリップ３０とアタッチメント４０とが強固に固定される。なお、本実施形態では、第一突条部３６ａ〜３６ｄと第二突条部４４ａ〜４４ｄとが一部において重なり合う構成を例示したが、本発明はこれに限定されるものではなく、略全体において重なり合う構成とすることも可能である。
【００６３】
本実施形態では、第一突条部３６ａ〜３６ｄ及び第二突条部４４ａ〜４４ｄの略全体が帯磁された構成である例を示したが、本発明はこれに限定される訳ではなく、一部分において帯磁された構成であってもよい。また、第一突条部３６ａ〜３６ｄ及び第二突条部４４ａ〜４４ｄは、いかなる手法により帯磁されたものであってもよく、例えば別途用意した磁石を第一突条部３６ａ〜３６ｄ及び第二突条部４４ａ〜４４ｄに固定する等しても良い。
【００６４】
本実施形態のグリップ構造体Ｇ２は、第一突条部３６ａ〜３６ｄ及び第二突条部４４ａ〜４４ｄが、第１実施形態と同様に鉤状部３８及び係合部４８を有し、両者の間に作用する磁気的な吸引力に加え、両者によって形成される係合構造による固定力も作用することになるため、シャフト２０とグリップ３０とをアタッチメント４０を介して強固に固定することができる。なお、本実施形態では、第一突条部３６ａ〜３６ｄ及び第二突条部４４ａ〜４４ｄが鉤状部３８及び係合部４８を備えた例を例示したが、本発明はこれに限定されるものではなく、鉤状部３８及び係合部４８を備えていないものや、鉤状部３８及び係合部４８に代替する他の構成により係合等により固定や連結することが可能なものとすることが可能である。
【００６５】
以上、本発明の代表的な実施形態について要旨を説明したが、その他の詳細な点については本発明の技術思想の範囲内で種々設定が可能であり、例えば各分割ストッパー２８や各傾斜面４６の角度や、数量、形状、第一突条部３６や鉤状部３８、第二突条部４４、係合部４８などの形状や数量等は適宜変更することが可能である。また、本発明は上記実施形態のみに限定されるものではなく、本発明の要旨を備えることを条件に、種々の設計変更が可能である。
【００６６】
例えば、上記実施形態においては、シャフト２０上においてリブ２２及び凸部２４が設けられた部分の径は、シャフト２０の先端側部分の径に比べて大きくなっているが、同一であってもよい。即ち、凸部２４を有するリブ２２が直接シャフト２０上に設けられていてもよい。
【００６７】
また、上記実施形態においては、シャフト２０が末端側から先端側まで略同一の太さを有することを前提に説明したが、末端側から先端側にいくにつれて細くなるシャフトもある。このようなシャフトを用いる場合には、シャフトにおいて本発明のグリップ構造体を構成する部分に、外径は一定で末端側から先端側にいくにつれて内径が大きくなる（厚くなる）中空円筒状のスペーサー（例えばゴム製や樹脂製）を取り付ければよい。
【００６８】
スペーサー取り付け後のシャフトの太さは末端側から先端側まで略同一になり、その上で凸部を有するリブ及びストッパーを取り付け、本発明のグリップ構造体の構成を採用すればよい。このようなスペーサーを用いれば、シャフトの長さ方向においてリブ、ストッパー及びアタッチメント等の厚さや内径等に勾配をつけなくてもよく、製造工程上メリットがあり、また、グリップ交換を可能とするクラブの種類の幅が広がる。
【産業上の利用可能性】
【００６９】
本発明の取外し交換可能なグリップ構造は、ウッドやアイアン、パター等のゴルフクラブ、バドミントン用ラケットやテニス用ラケット等の各種ラケット若しくは鍬、鎌又は鋤等に用いられるグリップに適用するゴルフクラブ、各種ラケット若しくは鍬、鎌又は鋤等、ユーザーが変更を希望する全てのグリップ構造に適用することが可能である。
【符号の説明】
【００７０】
１０      ゴルフクラブ
２０      シャフト
２０ａ    アタッチメント側端部
２２      リブ
２４      凸部
２６      ストッパー
２８      分割ストッパー
３０      グリップ
３２      第一略筒状部分
３４      溝部
３６      第一突条部
３８      鉤状部
４０      アタッチメント
４２      第二筒状部分
４４      第二突条部
４６      傾斜面
４８      係合部
５０      付勢手段
５２      シャフト側当接部
５４      アタッチメント側当接部
Ｇ      グリップ構造体
【図１】
2011115519.tif 000003
【図２】
2011115519.tif 000004
【図３】
2011115519.tif 000005
【図４】
2011115519.tif 000006
【図５】
2011115519.tif 000007
【図６】
2011115519.tif 000008
【図７】
2011115519.tif 000009
【図８】
2011115519.tif 000010
【図９】
2011115519.tif 000011
【図１０】
2011115519.tif 000012
【図１１】
2011115519.tif 000013
【図１２】
2011115519.tif 000014
【図１３】
2011115519.tif 000015
【図１４】
2011115519.tif 000016
【図１５】
2011115519.tif 000017
【図１６】
2011115519.tif 000018
【図１７】
2011115519.tif 000019
【図１８】
2011115519.tif 000020
【図１９】
2011115519.tif 000021